(57)【要約】【課題】空調ユニットの組み立て時における作業性を従来よりも向上させることが可能な空気調和装置の電装品ユニット、およびこれを備えた空気調和装置の室外ユニットを提供する。【解決手段】室外ユニット１において、電装品ユニット４５は、本体部５０と、第１取っ手部５４と、第２取っ手部５５と、を備えている。本体部５０は、平面視において略Ｖ字状に配置されており、上下方向に延びる２つの板状部材（第１板状部材５１、第２板状部材５２）を有している。第１取っ手部５４は、上記２つの板状部材の上部を結ぶように取り付けられている。第２取っ手部５５は、第１取っ手部５４の下方において、上記２つの板状部材を結ぶように取り付けられている。【選択図】図５
2008116137.tif 000002
【特許請求の範囲】
【請求項１】
平面視において略V字状に配置されており上下方向に延びる２つの板状部材（５１、５２）を有する本体部（５０）と、
前記２つの板状部材（５１、５２）の上部を結ぶ第１取っ手部（５４）と、
前記第１取っ手部（５４）の下方において、前記２つの板状部材（５１、５２）を結ぶ第２取っ手部（５５）と、
を備えている空気調和装置の電装品ユニット（４５）。
【請求項２】
前記２つの板状部材（５１、５２）は、発熱量の大きい電子部品（５１ｃ）を実装したプリント基板（５１ａ）を保持する第１板状部材（５１）と、発熱量の小さい電子部品（５２ｂ）を実装したプリント基板（５２ａ）を保持する第２板状部材（５２）である、
請求項１に記載の空気調和装置の電装品ユニット（４５）。
【請求項３】
前記第２取っ手部（５５）の下方において、前記２つの板状部材（５１、５２）を結ぶ第３取っ手部（５６）をさらに備えている、
請求項１または２に記載の空気調和装置の電装品ユニット（４５）。
【請求項４】
前記第２取っ手部（５５）は、前記２つの板状部材（５１、５２）の互いに離間した側の端部付近を結ぶように取り付けられている、
請求項１から３のいずれか１項に記載の空気調和装置の電装品ユニット（４５）。
【請求項５】
前記第１取っ手部（５４）には、前記本体部（５０）を吊り下げる穴（５４ａ）が形成されている、
請求項１から４のいずれか１項に記載の空気調和装置の電装品ユニット（４５）。
【請求項６】
ケーシング（２）と、
前記ケーシング（２）の内部を送風機室（ＳＰ１）と機械室（ＳＰ２）とに区画するように略鉛直方向に延びる仕切り板（２５）と、
請求項１から５のいずれか１項に記載の空気調和装置の電装品ユニット（４５）と、
を備えている空気調和装置の室外ユニット（１）。
【発明の詳細な説明】
【技術分野】
【０００１】
本発明は、空気調和装置の電装品ユニット、およびこれを備えた空気調和装置の室外ユニットに関する。
【背景技術】
【０００２】
一般に、空気調和装置の室外ユニットや室内ユニット等の空調ユニットの中には、各機能を制御する制御基板が配置された電装品ユニットを備えているものがある。
【０００３】
例えば、特許文献１に示す電装品ユニットを備えた空調ユニットでは、レシーバのサイズを大きくする場合にも冷媒連絡配管の取り出し方向に制約が生じないようにしている。
【特許文献１】特開２００５−７６９２３号公報（平成１７年３月２４日公開）
【発明の開示】
【発明が解決しようとする課題】
【０００４】
しかしながら、上記従来の空調ユニットでは、空調ユニットの組み立て時における空調ユニット本体への電装品ユニットの組み込み作業については、何らの検討もなされていない。
【０００５】
このため、このような空調ユニットにおいて、空調ユニットの組み立て時における作業性の悪さを改善することができなかった。
【０００６】
本発明の課題は、空調ユニットの組み立て時における作業性を従来よりも向上させることが可能な空気調和装置の電装品ユニット、およびこれを備えた空気調和装置の室外ユニットを提供することにある。
【課題を解決するための手段】
【０００７】
第１の発明に係る空気調和装置の電装品ユニットは、本体部と、第１取っ手部と、第２取っ手部と、を備えている。本体部は、平面視において略V字状に配置されており上下方向に延びる２つの板状部材を有している。第１取っ手部は、２つの板状部材の上部を結ぶ。第２取っ手部は、第１取っ手部の下方において、２つの板状部材を結ぶ。
【０００８】
従来、このような電装品ユニットには、上部にしか取っ手が設けられていなかったため組み立て作業を行ない難かった。
【０００９】
これに対して、第１の発明に係る空気調和装置の電装品ユニットでは、第１取っ手部と、第１取っ手部の下方に第２取っ手部とを備えている。このため、荷箱から電装品ユニットを取り出す際には第１取っ手部を掴んで取り出し、空調ユニットに電装品ユニットを組み込む際には第２取っ手部を掴んで組み込むことが可能になる。
【００１０】
これにより、荷箱から電装品ユニットを取り出す場合と空調ユニットに電装品ユニットを組み込む場合とにおいて、作業性をそれぞれ向上させることができる。
【００１１】
この結果、空調ユニットの組み立て時における作業性を従来よりも向上させることができる。
【００１２】
第２の発明に係る空気調和装置の電装品ユニットは、第１の発明に係る空気調和装置の電装品ユニットであって、２つの板状部材は、発熱量の大きい電子部品を実装したプリント基板を保持する第１板状部材と、発熱量の小さい電子部品を実装したプリント基板を保持する第２板状部材である。
【００１３】
これにより、発熱量の大きい電子部品と発熱量の小さい電子部品とを、別々の板状部材に配置することができる。
【００１４】
このため、発熱量の大きい電子部品において発生する熱の影響を、発熱量の小さい電子部品が受け難くすることができる。
【００１５】
第３の発明に係る空気調和装置の電装品ユニットは、第１または第２の発明に係る空気調和装置の電装品ユニットであって、第２取っ手部の下方において、２つの板状部材を結ぶ第３取っ手部をさらに備えている。
【００１６】
これにより、空調ユニットに電装品ユニットを組み込む際に、第３取っ手部をさらに掴んで組み込み作業を行なうことが可能になる。
【００１７】
この結果、空調ユニットの組み立て時における作業性をさらに向上させることができる。
【００１８】
第４の発明に係る空気調和装置の電装品ユニットは、第１から第３の発明のいずれか１つに係る空気調和装置の電装品ユニットであって、第２取っ手部は、２つの板状部材の互いに離間した側の端部付近を結ぶように取り付けられている。
【００１９】
ここでは、２つの板状部材の互いに離間した側の端部付近、すなわち、平面視において、略Ｖ字状に配置された２つの板状部材の開口側の各端部付近を結ぶように、第２取っ手部が取り付けられている。
【００２０】
これにより、２つの板状部材と交差する方向の第２取っ手部の長さをより長くして、掴み易くすることができる。
【００２１】
この結果、空調ユニットの組み立て時における作業性をより一層向上させることができる。
【００２２】
第５の発明に係る空気調和装置の電装品ユニットは、第１から第４の発明のいずれか１つに係る空気調和装置の電装品ユニットであって、第１取っ手部には、本体部を吊り下げる穴が形成されている。
【００２３】
このため、小型クレーン等の補助手段を用いて電装品ユニットを吊り上げることが可能になる。
【００２４】
これにより、空調ユニットの組み立て時における作業性をさらに一層向上させることができる。
【００２５】
第６の発明に係る空気調和装置の室外ユニットは、ケーシングと、仕切り板と、第１から第５の発明のいずれか１つに係る空気調和装置の電装品ユニットと、を備えている。
【００２６】
仕切り板は、ケーシングの内部を送風機室と機械室とに区画するように略鉛直方向に延びる。
【００２７】
これにより、空気調和装置の室外ユニット（以下、室外ユニットと表記）において、上記発明にかかる電装品ユニットと同様の効果を得ることができる。
【００２８】
このため、荷箱から電装品ユニットを取り出す場合と室外ユニットに電装品ユニットを組み込む場合とにおいて、作業性をそれぞれ向上させることができる。
【００２９】
この結果、室外ユニットの組み立て時における作業性を格段に向上させることができる。
【発明の効果】
【００３０】
第１の発明に係る空気調和装置の電装品ユニットによれば、空調ユニットの組み立て時における作業性を従来よりも向上させることができる。
【００３１】
第２の発明に係る空気調和装置の電装品ユニットによれば、発熱量の大きい電子部品において発生する熱の影響を、発熱量の小さい電子部品が受け難くすることができる。
【００３２】
第３〜第６の各発明に係る空気調和装置の電装品ユニットによれば、作業性をさらに向上させることができる。
【発明を実施するための最良の形態】
【００３３】
本発明の一実施形態に係る空気調和装置の室外ユニット１について、図１〜図６を用いて説明すれば以下の通りである。
【００３４】
＜室外ユニット１全体の構成＞
室外ユニット１は、室外に設置されており、図１〜図４に示すように、いわゆるトランク型の室外機である。
【００３５】
室外ユニット１は、主に、ユニットケーシング２と、冷媒回路構成部品３と、ファン１１と、電装品ユニット４５と、を備えている。そして、室外ユニット１は、室外ユニット１の背面および左側面から外気（空気）を内部へと吸い込んで、吸い込んだ空気と冷媒との間で熱交換を行なわせる。さらに、室外ユニット１は、熱交換を行なった空気を正面から排気する。
【００３６】
＜ユニットケーシング２＞
ユニットケーシング２は、図１および図２に示すように、略直方体状に形成されており、図３または図４に示すように、主として、冷媒回路構成部品３と、ファン１１と、電装品ユニット４５と、を格納する。そして、ユニットケーシング２は、底板２１と、左前板２２ａと、上部左前板２２ｂと、右前板２２ｃと、右側板２３ａと、上部右側板２３ｂと、天板２８と、を有している。
【００３７】
ユニットケーシング２の正面は、図１および図３に示すように、左前板２２ａおよび上部左前板２２ｂによって正面視の左側側端から中央部やや右寄りの部分までが形成されている。また、右前板２２ｃによって上記中央部やや右寄りの部分から右側端までが形成されている。
【００３８】
左前板２２ａは、平面視において略Ｌ字状に形成されており、室外ユニット１の左側面から正面にかけて配置されている。また、左前板２２ａには、正面側に円状に形成された吹き出し口２７が上下方向に並んで２つ設けられている。この２つの吹き出し口２７は、ファン１１（後段にて詳述）によってユニットケーシング２の背面（後段にて詳述）側および左側面（後段にて詳述）側から内部に取り込まれた空気を外部に排気するための開口部である。
【００３９】
上部左前板２２ｂは、平面視において略Ｌ字状に形成されて上下方向に延びる金属パネルであり、左前板２２ａの直上方に配置されている。
【００４０】
右前板２２ｃは、室外ユニット１の正面視における右側に配置されており、平面視において略Ｌ字状に形成されている。また、右前板２２ｃは、室外ユニット１の正面視における右側端で折り曲げられて背面側へと延びており、後段にて詳述するユニットケーシング２の右側面の正面側を形成している。
【００４１】
ユニットケーシング２の左側面は、図１および図３に示すように、正面視において、左前板２２ａおよび上部左前板２２ｂが室外ユニット１の左側端で折り曲げられ、後方へと延びて形成されている。なお、ユニットケーシング２の左側面には、前後方向（正面側から背面側へ向かう方向）に長い長方形状の空気吸い込み口２４ａが上下方向に並んで設けられている。
【００４２】
ユニットケーシング２の右側面は、図２および図３に示すように、室外ユニット１の正面視における右側端から延びる右前板２２ｃによって正面側が形成されており、さらに、右側板２３ａおよび上部右側板２３ｂによって、背面側が形成されている。
【００４３】
ここで、室外ユニット１の背面は、図２に示すように、右側板２３ａおよび上部右側板２３ｂによって右側部分の一部が形成されている。そして、室外ユニット１の残りの背面部分、すなわち、ユニットケーシング２の左側面の背面側の側端と、右側板２３ａおよび上部右側板２３ｂの背面側の側端との間には、開口スペースが形成されている。
【００４４】
なお、熱交換器３０（後段にて詳述）は、上記開口スペースに背面側が露出するように配置されている。
【００４５】
仕切り板２５は、図３に示すように、平面視において弧状に形成されており、上下方向に延びる金属製の仕切り部材である。そして、仕切り板２５は、図４に示すように、ユニットケーシング２の内部空間を左側の送風機室ＳＰ１と右側の機械室ＳＰ２とに区画するように配置されている。
【００４６】
管板２６は、熱交換器３０の背面側の端面に対応するように設けられた金属製の板状部材である。
【００４７】
＜ファン１１＞
ファン１１は、図３に示すように、複数の翼を有するプロペラファンであり、送風機室ＳＰ１（図４参照）において、熱交換器３０の前面側の支持部材１２に吹き出し口２７と面するように上下方向に並んで２基取り付けられている。このファン１１を回転駆動すると、室外ユニット１の内部が負圧状態となって、ユニットケーシング２の背面あるいは左側面からユニットケーシング２の正面へと向かう空気の流れが生成される。そして、上記空気の流れによって、熱交換器３０（後段にて詳述）を通過した空気は左前板２２ａの吹き出し口２７から外部へと吹き出される。
【００４８】
＜冷媒回路構成部品３＞
冷媒回路構成部品３は、図３及び図４に示されるように、熱交換器３０、圧縮機４０、レシーバ４１、四路切換弁４２、閉鎖弁３７、３８等を備えている。
【００４９】
熱交換器３０は、送風機室ＳＰ１において、ユニットケーシング２の左側面から背面に沿うように配置された略Ｌ字形状の熱交換器である。そして、熱交換器３０は、第１熱交換部３１と第２熱交換部３２とを有している。
【００５０】
第１熱交換部３１は、上下方向の高さが左前板２２ａとほぼ同じ高さとなるように形成されている。
【００５１】
第２熱交換部３２は、第１熱交換部３１の直上方に配置されており、上部左前板２２ｂと上下方向の高さがほぼ同じとなるように形成されている。
【００５２】
ここで、第１熱交換部３１および第２熱交換部３２は、室外ユニット１の左側面あるいは背面側から吸い込まれた空気が通りに抜ける際に、内部を流れる冷媒と空気との間で熱交換を行なわせる。
【００５３】
＜電装品ユニット４５＞
電装品ユニット４５は、機械室ＳＰ２の上部に配置されており（図４参照）、図５に示すように、本体部５０と、第１取っ手部５４と、第２取っ手部５５と、第３取っ手部５６と、を備えている。また、電装品ユニット４５の重量は、約１０ｋｇである。
【００５４】
本体部５０は、図４および図５に示すように、平面視において略Ｖ字状に配置された第１板状部材５１と第２板状部材５２とを有している。
【００５５】
第１板状部材５１は、図４に示すように、仕切り板２５と面するように配置されており、上下方向に延びる長方形状の板状部材である。そして、第１板状部材５１は、図５に示すように、圧縮機４０を駆動するインバータ回路を形成する比較的発熱量の大きいコンデンサ５１ｃやパワートランジスタと、パワートランジスタを冷却する大型のヒートシンク５１ｂと、を実装した駆動用Ｐ板（プリント基板）５１ａを搭載している。
【００５６】
第２板状部材５２は、図４に示すように、ユニットケーシング２の正面と面するように配置されており、上下方向に延びる長方形状の板状部材である。そして、第２板状部材５２は、運転制御を行うための制御回路を形成する比較的発熱量の小さい電子部品５２ｂ（図５参照）を実装した制御用Ｐ板（プリント基板）５２ａをユニットケーシング２の正面と面するように搭載している。
【００５７】
これにより、比較的発熱量の大きいコンデンサ５１ｃやパワートランジスタ等の電子部品と比較的発熱量の小さい電子部品５２ｂとを、第１板状部材５１と第２板状部材５２とにそれぞれ別々に配置することができる。
【００５８】
第１取っ手部５４は、図５に示すように、本体部５０の上部において、第１板状部材５１および第２板状部材５２の上端部の中央部付近を結ぶように配置されており、吊り下げ穴５４ａが形成されている。また、第１取っ手部５４は、長手方向に直交する向きにおける断面が略Ｕ字状に形成されており、略Ｕ字状に形成された断面の開口側が上側となるように、第１板状部材５１および第２板状部材５２にそれぞれ取り付けられている。
【００５９】
吊り下げ穴５４ａは、図５に示すように、第１取っ手部５４の長手方向の中央部付近に形成されており、略水平方向であって、且つ、第１取っ手部５４の長手方向と直交する方向へと第１取っ手部５４を貫通するように形成された円状の穴である。ここで、略水平方向とは、第１板状部材５１の長手方向と交差する方向である。
【００６０】
第２取っ手部５５は、第１取っ手部５４の下方において、第１板状部材５１および第２板状部材５２の開口側の端部付近、すなわち第１板状部材５１および第２板状部材５２の互いに離間した側の端部付近を結ぶように取り付けられている。このように各端部付近を結ぶように第２取っ手部５５を取り付けることによって、第２取っ手部５５の長手方向の長さをより長くすることができる。なお、第２取っ手部５５は、第１取っ手部５４と同様に、長手方向に直交する方向の断面の形状が略Ｕ字状に形成されている。そして、第２取っ手部５５は、略Ｕ字状に形成された断面の開口側が本体部５０に対して略水平方向の外向きとなるように取り付けられている。
【００６１】
第３取っ手部５６は、第２取っ手部５５の下方において、第１板状部材５１および第２板状部材５２の下端部の中央部付近を結ぶように配置されている。なお、第３取っ手部５６は、第２取っ手部５５と同様に、長手方向に直交する方向の断面の形状が略Ｕ字状に形成されており、略Ｕ字状に形成された断面の開口側が下側となるように取り付けられている。
【００６２】
上記のように各取っ手部（第１取っ手部５４、第２取っ手部５５、第３取っ手部５６）を設けることで、荷箱Ｂ（図６参照）から電装品ユニット４５を取り出す場合および室外ユニット１に電装品ユニット４５を取り付ける場合における作業性を向上させることができる。
【００６３】
なお、各取っ手部を設けることで、電装品ユニット４５の強度を向上させるといった効果もある。
【００６４】
（電装品ユニット４５の室外ユニット１への取り付け作業）
ここで、電装品ユニット４５の室外ユニット１への取り付け作業について、以下において、図６を用いて説明する。
【００６５】
室外ユニット１の組み立てラインにおいて、図６（ａ）に示すように、作業者Ｘは、第１取っ手部５４を掴んで電装品ユニット４５を荷箱Ｂから取り出す。そして、作業者Ｘは、取り出した電装品ユニット４５を作業テーブル（図示せず）に置く。
【００６６】
さらに、作業者Ｘは、図６（ｂ）に示すように、組立作業用の簡易クレーン（図示せず）を操作し、簡易クレーンの先端に取り付けられたフックＺを吊り下げ穴５４ａに引っ掛けて電装品ユニット４５を吊り上げる。そして、作業者Ｘは、第２取っ手部５５および第３取っ手部５６を掴んで、室外ユニット１の機械室ＳＰ２の上部の所定の位置に電装品ユニット４５を取り付ける。この際、図４に示すように、第１板状部材５１が仕切り板２５に面し、第２板状部材５２がユニットケーシング２の正面と面するように、電装品ユニット４５は取り付けられる。
【００６７】
なお、仕切り板２５に面する第１板状部材５１には複数の係止部（図示せず）が設けられており、仕切り板２５に設けられた開口部（図示せず）にこれらの係止部を引っ掛けて電装品ユニット４５を仕切り板２５に保持させる。
【００６８】
＜電装品ユニット４５の特徴＞
（１）
本実施形態の室外ユニット１において、図５に示すように、電装品ユニット４５は、本体部５０と、第１取っ手部５４と、第２取っ手部５５と、を備えている。本体部５０は、平面視において略Ｖ字状に配置されており、上下方向に延びる２つの板状部材（第１板状部材５１、第２板状部材５２）を有している。第１取っ手部５４は、上記２つの板状部材の上部を結ぶように取り付けられている。第２取っ手部５５は、第１取っ手部５４の下方において、上記２つの板状部材を結ぶように取り付けられている。
【００６９】
このため、荷箱Ｂから電装品ユニット４５を取り出す場合には、作業者Ｘは第１取っ手部５４を掴んで取り出すことができる。また、電装品ユニット４５を室外ユニット１に取り付ける場合には、第２取っ手部５５を掴んで取り付けることができる。
【００７０】
これにより、荷箱Ｂから電装品ユニット４５を取り出す場合と、室外ユニット１に電装品ユニット４５を取り付ける場合と、における作業性を向上させることができる。
【００７１】
この結果、室外ユニット１の組み立て時における作業性を従来よりも向上させることができる。
【００７２】
（２）
本実施形態の電装品ユニット４５において、図５に示すように、第１板状部材５１は比較的発熱量の大きいコンデンサ５１ｃ等の電子部品を実装した駆動用Ｐ板５１ａを搭載しており、第２板状部材５２は比較的発熱量の小さい電子部品５２ｂを実装した制御用Ｐ板５２ａを搭載している。
【００７３】
これにより、比較的発熱量の大きいコンデンサ５１ｃ等の電子部品と比較的発熱量の小さい電子部品５２ｂとを、それぞれ第１板状部材５１と第２板状部材５２とに別々に配置することができる。
【００７４】
この結果、比較的発熱量の大きいコンデンサ５１ｃ等の電子部品において発生する熱の影響を電子部品５２ｂが受け難くすることができる。
【００７５】
（３）
本実施形態の電装品ユニット４５において、図５に示すように、第２取っ手部５５の下方において、第１板状部材５１と第２板状部材５２とを結ぶように取り付けられた第３取っ手部５６をさらに備えている。
【００７６】
これにより、作業者Ｘは、室外ユニット１に電装品ユニット４５を取り付ける際に、第２取っ手部５５と第３取っ手部５６とを掴んで取り付けることができる。
【００７７】
このため、作業者Ｘは電装品ユニット４５をよりしっかりと保持しながら、電装品ユニット４５を室外ユニット１に組み込むことができる。
【００７８】
この結果、室外ユニット１の組み立て時における作業性をさらに向上させることができる。
【００７９】
（４）
本実施形態の電装品ユニット４５において、図５に示すように、第２取っ手部５５は2つの板状部材（第１板状部材５１、第２板状部材５２）の互いに離間した側の端部付近を結ぶように取り付けられている。
【００８０】
このため、例えば、上記２つの板状部材の中央部付近を結ぶように第２取っ手部５５が取り付けられている場合よりも、第２取っ手部５５の長手方向の長さをより長くすることができる。そのため、第２取っ手部５５をより掴み易くすることばできる。
【００８１】
この結果、室外ユニット１の組み立て時における作業性をより一層向上させることができる。
【００８２】
（５）
本実施形態の電装品ユニット４５において、図５に示すように、第１取っ手部５４には、本体部５０を吊り下げる吊り下げ穴５４ａが形成されている。
【００８３】
これにより、フックＺを吊り下げ穴５４ａに引っ掛けて本体部５０を吊り上げることができる。
【００８４】
この結果、室外ユニット１の組み立て時における作業性をさらに一層向上させることができる。
【００８５】
（６）
本実施形態の空気調和装置の室外ユニット１は、図３に示すように、ユニットケーシング２と、仕切り板２５と、電装品ユニット４５と、を備えている。仕切り板２５は、ユニットケーシング２の内部を送風機室ＳＰ１と機械室ＳＰ２とに区画するように上下方向に延びている。
【００８６】
これにより、荷箱Ｂから電装品ユニット４５を取り出す場合と室外ユニット１に電装品ユニット４５を組み込む場合とにおける作業性をそれぞれ向上させることができる。
【００８７】
この結果、室外ユニット１の組み立て作業の作業性を格段に向上させることができる。
【００８８】
＜他の実施形態＞
以上、本発明の一実施形態について説明したが、本発明は上記実施形態に限定されるものではなく、発明の要旨を逸脱しない範囲で種々の変更が可能である。
【００８９】
（Ａ）
上記実施形態では、図５に示すように、第１取っ手部５４は、第１板状部材５１および第２板状部材５２の上端部の中央部付近を結ぶように、取り付けられている例を挙げて説明した。しかし、本発明はこれに限定されるものではない。
【００９０】
例えば、室外ユニット１に電装品ユニット４５を取り付ける際に問題が発生しない場合には、第２取っ手部５５と同様に、第１板状部材５１および第２板状部材５２の上端部において、互いに離間した側の端部付近を結ぶように、第１取っ手部５４を取り付けても良い。
【００９１】
この場合には、第１取っ手部５４の長手方向の長さをより長くして、作業者がさらに第１取っ手部５４を掴み易くすることができる。
【００９２】
（Ｂ）
上記実施形態では、図５に示すように、第１板状部材５１は比較的発熱量の大きいコンデンサ５１ｃやパワートランジスタ等の電子部品を実装した駆動用Ｐ板５１ａを搭載しており、第２板状部材５２は比較的発熱量の小さい電子部品５２ｂを実装した制御用Ｐ板５２ａを搭載している例を挙げて説明した。しかし、本発明はこれに限定されるものではない。
【００９３】
例えば、コンデンサ５１ｃやパワートランジスタ等の電子部品が発生させる熱の影響を電子部品５２ｂが受けない場合には、駆動用Ｐ板５１ａおよび制御用Ｐ板５２ａを第１板状部材５１に搭載しても良い。または、駆動用Ｐ板５１ａおよび制御用Ｐ板５２ａを第２板状部材５２に搭載しても良い。
【００９４】
この場合にも、上記実施形態に係る電装品ユニット４５と同様の効果を得ることができる。
【００９５】
（Ｃ）
上記実施形態では、図５に示すように、電装品ユニット４５が第３取っ手部５６を備えている例を挙げて説明した。しかし、本発明はこれに限定されるものではない。
【００９６】
例えば、電装品ユニット４５の重量が比較的軽く作業者の負担が少ない場合には、第３取っ手部５６は設けなくても良い。
【００９７】
この場合にも、上記実施形態に係る電装品ユニット４５と同様の効果を得ることができる。
【００９８】
但し、この場合には、室外ユニット１本体に電装品ユニット４５を取り付ける際に、作業者がしっかりと電装品ユニット４５を保持し難くなるおそれがある。そのため、上記実施形態のように、第３取っ手部５６を電装品ユニット４５に備えさせる方がより好ましい。
【００９９】
また、例えば、第３取っ手部５６を各板状部材（第１板状部材５１、第２板状部材５２）に取り付けることができない場合には、作業者が手で掴むための開口部を各板状部材に設けても良い。
【０１００】
この場合にも、上記実施形態にかかる電装品ユニット４５と同様の効果を得ることができる。
【０１０１】
但し、この場合には、各板状部材を作業者が持ちながら室外ユニット１に電装品ユニット４５を取り付ける作業を行なう必要がある。そのため、各板状部材に搭載されている電子部品等を作業中に破損してしまうおそれがある。このため、上記実施形態のように、第３取っ手部５６を設ける方がより好ましい。
【０１０２】
（Ｄ）
上記実施形態では、図５に示すように、第２取っ手部５５は、第１板状部材５１および第２板状部材５２の互いに離間した側の端部付近を結ぶように取り付けられている例を挙げて説明した。しかし、本発明はこれに限定されるものではない。
【０１０３】
例えば、電装品ユニット４５や室外ユニット１のレイアウトの都合によって上記離間した端部付近を結ぶように第２取っ手部５５を取り付けることができない場合には、第１板状部材５１および第２板状部材５２の中央部付近を結ぶように取り付けても良い。
【０１０４】
この場合にも、上記実施形態に係る電装品ユニット４５と同様の効果を得ることができる。
【０１０５】
但し、この場合には、第２取っ手部５５の長手方向の長さが短くなり掴み難くなる。このため、上記実施形態のように、第２取っ手部５５は第１板状部材５１および第２板状部材５２の互いに離間した側の端部付近を結ぶように取り付ける方がより好ましい。
【０１０６】
（Ｅ）
上記実施形態では、図５に示すように、第１取っ手部５４には、本体部５０を吊り下げる吊り下げ穴５４ａが形成されている例を挙げて説明した。しかし、本発明はこれに限定されるものではない。
【０１０７】
例えば、電装品ユニット４５の重量が比較的軽く、クレーン等の補助手段によって本体部５０を吊り上げる必要がない場合には、吊り下げ穴５４ａは設けなくても良い。
【０１０８】
この場合にも、上記実施形態にかかる電装品ユニット４５と同様の効果を得ることができる。
【０１０９】
（Ｆ）
上記実施形態では、室外ユニット１において、電装品ユニット４５が備えられている例を挙げて説明した。しかし、本発明はこれに限定されるものではない。
【０１１０】
例えば、空気調和装置の室内ユニットが電装品ユニット４５を備えていても良い。
【０１１１】
この場合にも、空気調和装置の室内ユニットにおいて、上記実施形態に係る電装品ユニット４５と同様の効果を得ることができる。
【０１１２】
（Ｇ）
上記実施形態では、図５に示すように、各取っ手部（第１取っ手部５４、第２取っ手部５５、第３取っ手部５６）は長手方向と直交する向きの断面が略Ｕ字状に形成されている例を挙げて説明した。しかし、本発明はこれに限定されるものではない。
【０１１３】
例えば、各取っ手部の長手方向と直交する向きの断面が略円状や多角形状となるように、各取っ手部を形成しても良い。
【０１１４】
この場合には、作業者が各取っ手部をより掴み易くなるので、電装品ユニット４５の作業性をさらに向上させることができる。
【０１１５】
但し、この場合には、各取っ手部を本体部５０に取り付けるのに手間がかかり、製造コストの増加を招くおそれがある。このため、上記実施形態のように、各取っ手部は長手方向と直交する向きの断面が略Ｕ字状となるように形成する方がより好ましい。
【０１１６】
（Ｈ）
上記実施形態では、図５に示すように、第１取っ手部５４には、本体部５０を吊り下げる吊り下げ穴５４ａが形成されている例を挙げて説明した。しかし、本発明はこれに限定されるものではない。
【０１１７】
例えば、本体部５０に十分な強度がある場合には、吊り下げ穴５４ａは本体部５０に設けても良い。
【０１１８】
この場合にも、上記実施形態にかかる電装品ユニット４５と同様の効果を得ることができる。
【０１１９】
但し、この場合には、電装品ユニット４５を吊り上げる際に、電装品ユニット４５が大きく傾く、または、フックＺが電子部品等と干渉するおそれもある。このため、上記実施形態のように、第１取っ手部５４に吊り下げ穴５４ａを設ける方がより好ましい。
【産業上の利用可能性】
【０１２０】
本発明の空気調和装置の電装品ユニットは、空調ユニットの組み立て作業時における作業性を従来よりも向上させるという効果を奏することから、空気調和装置の電装品ユニットおよびこれを備えた空気調和装置の室外ユニットに対して広く適用可能である。
【図面の簡単な説明】
【０１２１】
【図１】本発明の一実施形態に係る空気調和装置の室外ユニットの正面側の外観を示す斜視図。
【図２】図１に示す空気調和装置の室外ユニットの背面側の外観を示す斜視図。
【図３】図１に示す空気調和装置の室外ユニットの内部構成を示す分解図。
【図４】図１に示す空気調和装置の室外ユニットにおいて、仕切り板が取り付けられた状態を示す分解図。
【図５】図４に含まれる電装品ユニットの構成を示す斜視図。
【図６】図５に示す電装品ユニットに備えられた各取っ手部の使用方法を模式的に示す図。
【符号の説明】
【０１２２】
１      室外ユニット（空気調和装置の室外ユニット）
２      ユニットケーシング
３      冷媒回路構成部品
２５    仕切り板
４５    電装品ユニット
５０    本体部
５１    第１板状部材
５１ａ  駆動用Ｐ板（プリント基板）
５１ｂ  ヒートシンク
５１ｃ  コンデンサ（電子部品）
５２    第２板状部材
５２ａ  制御用Ｐ板（プリント基板）
５２ｂ  電子部品
５４    第１取っ手部
５４ａ  吊り下げ穴
５５    第２取っ手部
５６    第３取っ手部
Ｂ      荷箱
ＳＰ１  送風機室
ＳＰ２  機械室
Ｘ      作業者
Ｚ      フック
【図１】
2008116137.tif 000003
【図２】
2008116137.tif 000004
【図３】
2008116137.tif 000005
【図４】
2008116137.tif 000006
【図５】
2008116137.tif 000007
【図６】
2008116137.tif 000008